(57)【要約】【課題】開閉部材を容易に回転させることができるヒンジを提供する。【解決手段】機器本体に取り付け固定される固定ブラケット１と；固定ブラケット１に回転自在に支持されると共に、開閉部材に取り付け固定される回転軸２と；固定ブラケット１に固定される固定フリクションプレート４と；２回転軸と共に回転する可動フリクションプレート５と；可動フリクションプレート５を固定フリクションプレート４に弾性的に付勢して摩擦トルクを発生させる手段８と；可動フリクションプレート５と固定フリクションプレート４を磁気的に吸引せしめる手段と；から構成される。【選択図】        図１
2005147324.tif 000002
【特許請求の範囲】
【請求項１】
ノート型パソコン等の機器本体に対して、その蓋やディスプレイ等の開閉部材を開閉自在に連結すると共に、該開閉部材を任意の開閉状態に保持するヒンジにおいて；上記機器本体に取り付け固定される固定ブラケットと；該固定ブラケットに回転自在に支持されると共に、上記開閉部材に取り付け固定される回転軸と；上記固定ブラケットに固定される固定フリクションプレートと；上記回転軸と共に回転する可動フリクションプレートと；該可動フリクションプレートを前記固定フリクションプレートに弾性的に付勢して摩擦トルクを発生させる手段と；上記可動フリクションプレートと固定フリクションプレートを磁気的に吸引せしめる手段と；から構成されることを特徴とするヒンジ。
【請求項２】
上記磁気的吸引手段が、可動フリクションプレートおよび固定フリクションプレートにそれぞれ設けた磁性であることを特徴とする請求項１に記載のヒンジ。
【発明の詳細な説明】
【技術分野】
【０００１】
本発明は、ノート型パソコン等の機器本体に対して、その蓋やディスプレイ等の開閉部材を開閉自在に連結すると共に、該開閉部材を任意の開閉状態に保持するヒンジに関するものである。
【背景技術】
【０００２】
従来の、この種のヒンジとしては、例えば、装置本体に取り付けられるブラケットと、該ブラケットに回転自在に取り付けられると共に開閉体に取り付けられる回転シャフトと、該回転シャフトと共に回転するフリクションプレートと、該フリクションプレートに摩擦力を与える付勢手段から成るものがある。（特許文献１参照）
【特許文献１】特開平１０−０２６１２６号公報
【０００３】
しかし、上記特許文献１の従来技術は、摩擦力を与える付勢手段により各フリクション間に摩擦力を与えるように構成されているので、付勢による摩擦力が弱いと不安定になり、弾性力を強くして摩擦トルクを大きくするとフリクションプレートの摩擦面が摩耗し易いだけでなく、強い力で開閉部材を回転させなければならない等の欠点があった。
【発明の開示】
【発明が解決しようとする課題】
【０００４】
本発明が解決しようとする課題は、開閉部材を容易に回転させることができるヒンジを提供することにある。
【課題を解決するための手段】
【０００５】
本発明は、ノート型パソコン等の機器本体に対して、その蓋やディスプレイ等の開閉部材を開閉自在に連結すると共に、該開閉部材を任意の開閉状態に保持するヒンジにおいて；上記機器本体に取り付け固定される固定ブラケットと；該固定ブラケットに回転自在に支持されると共に、上記開閉部材に取り付け固定される回転軸と；上記固定ブラケットに固定される固定フリクションプレートと；上記回転軸と共に回転する可動フリクションプレートと；該可動フリクションプレートを前記固定フリクションプレートに弾性的に付勢して摩擦トルクを発生させる手段と；上記可動フリクションプレートと固定フリクションプレートを磁気的に吸引せしめる手段と；から構成されることを特徴とする。また、上記磁気的吸引手段が、可動フリクションプレートおよび固定フリクションプレートにそれぞれ設けた磁性であることを特徴とする。
【発明の効果】
【０００６】
本発明のヒンジは、開閉部材がクリック停止位置にある時、上記可動フリクションプレートと固定フリクションプレートが磁気的に吸引する手段を設けることにより、摩擦トルクを強化することなく、安定かつ確実にクリック状態を維持することができるだけでなく、開閉部材を容易に回転させることができるという利点がある。
【発明を実施するための最良の形態】
【０００７】
図１は、本発明のヒンジの一実施例を示す要部の分解斜視図であって、１は固定側ブラケットであって、固定側機器本体（図示せず）に取り付け固定されている。２は回転軸であって、機器の開閉部材（図示せず）に取り付け固定されている。該回転軸２の端部には、取付軸部２ａとフランジ部２ｂが形成されていて、該取付軸部２ａは上記固定側ブラケット１の取付孔１ａに挿設され、フランジ部２ｂがワッシャー３を介して、固定側ブラケット１の側面に当接する。
【０００８】
４は第１固定フリクションプレートであって、上記回転軸２が挿通する軸孔４ａとグリス油溜まり４ｂとピン孔４ｃが形成されている。該軸孔４ａには回転軸２が回転可能に挿通する。ピン孔４ｃには、回転止めピン４ｄが挿通する。該回転止めピン４ｄの端部は、上記固定側ブラケット１のピン孔１ｂに取り付け固定される。
【０００９】
５は第１可動フリクションプレートであって、その軸孔５ａには上記回転軸２の取付軸部２ａが挿通し、回転軸２と共に回転するようになっている。５ｂはグリス油溜まりである。
【００１０】
６は第２固定フリクションプレートであって、上記回転軸２が挿通する軸孔６ａとグリス油溜まり６ｂとピン孔６ｃが形成されている。該軸孔６ａには回転軸２が回転可能に挿通する。ピン孔６ｃには、上記回転止めピン４ｄが挿通して回転が阻止される。
【００１１】
７は第２可動フリクションプレートであって、上記回転軸２の取付軸部２ａが挿通し、回転軸２と共に回転するようになっている。
【００１２】
８は皿バネであって、各フリクションプレート４、５、６および７の当接面に摩擦トルクを与えるように押圧する。９は押え用ワッシャーである。
【００１３】
上記固定フリクションプレート４、６および可動フリクションプレート５、７の適宜位置に磁性を持たせて、上記開閉部材が機器本体に閉じた状態において、両フリクションプレート４と５、５と６、６と７が相互に磁気的に吸引するように構成されている。
【００１４】
本実施例のヒンジは以上のように構成されているので、開閉部材が閉じている時には、両フリクションプレート４と５、５と６、６と７は相互に摩擦トルクを有すると共に、磁気的に吸引しているので、停止状態が安定かつ強化される。また、開閉部材を開くと、上記磁気的な吸引力に抗して開閉部材が回転し、上記摩擦力により、任意の回転角に保持される。
【００１５】
本発明は、上記実施例に限定するものではなく、要するに、停止時にのみ摩擦力に加えて磁力をアシストさせ得る構成であれば、磁性を持たせる位置や極性は、いずれでもよい。
【図面の簡単な説明】
【００１６】
【図１】本発明のヒンジの一実施例の要部の分解斜視図である。
【符号の説明】
【００１７】
１    固定側ブラケット
２    回転軸
２ａ  取付軸部
２ｂ  フランジ部
３    ワッシャー
４    第１固定フリクションプレート
４ａ  軸孔
４ｂ  グリス油溜まり
４ｃ  ピン孔
４ｄ  回転止めピン
５    第１可動フリクションプレート
５ａ  軸孔
５ｂ  グリス油溜まり
６    第２固定フリクションプレート
６ａ  軸孔
６ｂ  グリス油溜まり
６ｃ  ピン孔
６ｄ  回転止めピン
７    第２可動フリクションプレート
７ａ  軸孔
７ｂ  グリス油溜まり
８    皿バネ
９    押え用ワッシャー
【図１】
2005147324.tif 000003